(57)【特許請求の範囲】
【請求項１】
第１表示面を有する第１表示部と、
前記第１表示面と同一平面上にない第２表示面を有し、所定オブジェクトを表示する第２表示部と、
前記第１表示部および前記第２表示部の所定位置への接触を検出するタッチセンサと、を有する電子機器であって、
前記第２表示部に表示された前記所定オブジェクトの表示位置への接触と、該接触の位置を前記第１表示部の画面上へ移動させることなく、前記第２表示部の画面上において前記第１表示部が存在する方向へ移動させる動作と、からなるドラッグ操作を検出すると、前記第１表示部への所定の接触操作を検出したかを判定し、
前記ドラッグ操作を検出した後、前記第１表示部への所定の接触操作を検出することなく所定時間が経過すると、前記ドラッグ操作は入力されていないと判定し、
前記ドラッグ操作を検出してから前記所定時間が経過する前に、前記第１表示部への所定の接触操作を検出したと判定すると、前記第２表示部から消された前記所定オブジェクトに関する情報を前記第１表示部に表示することを特徴とする
電子機器。
【請求項２】
第１表示面を有する第１表示部と、前記第１表示面と同一平面上にない第２表示面を有し、所定オブジェクトを表示する第２表示部と、前記第１表示部および前記第２表示部の所定位置への接触を検出するタッチセンサと、を有する電子機器によって実行される画面制御方法であって、
前記第２表示部に表示された前記所定オブジェクトの表示位置への接触と、該接触の位置を前記第１表示部の画面上へ移動させることなく、前記第２表示部の画面上において前記第１表示部が存在する方向へ移動させる動作と、からなるドラッグ操作を検出すると、前記第１表示部への所定の接触操作を検出したかを判定し、
前記ドラッグ操作を検出した後、前記第１表示部への所定の接触操作を検出することなく所定時間が経過すると、前記ドラッグ操作は入力されていないと判定し、
前記ドラッグ操作を検出してから前記所定時間が経過する前に、前記第１表示部への所定の接触操作を検出したと判定すると、前記第２表示部から消された前記所定オブジェクトに関する情報を前記第１表示部に表示することを特徴とする
画面制御方法。
【請求項３】
第１表示面を有する第１表示部と、前記第１表示面と同一平面上にない第２表示面を有し、所定オブジェクトを表示する第２表示部と、前記第１表示部および前記第２表示部の所定位置への接触を検出するタッチセンサと、を有する電子機器に、
前記第２表示部に表示された前記所定オブジェクトの表示位置への接触と、該接触の位置を前記第１表示部の画面上へ移動させることなく、前記第２表示部の画面上において前記第１表示部が存在する方向へ移動させる動作と、からなるドラッグ操作を検出すると、前記第１表示部への所定の接触操作を検出したかを判定し、
前記ドラッグ操作を検出した後、前記第１表示部への所定の接触操作を検出することなく所定時間が経過すると、前記ドラッグ操作は入力されていないと判定し、
前記ドラッグ操作を検出してから前記所定時間が経過する前に、前記第１表示部への所定の接触操作を検出したと判定すると、前記第２表示部から消された前記所定オブジェクトに関する情報を前記第１表示部に表示することを実行させる
画面制御プログラム。
【請求項４】
第１表示面を有する第１表示部と、
前記第１表示面と同一平面上にない第２表示面を有し、所定オブジェクトを表示する第２表示部と、
前記第１表示部および前記第２表示部の所定位置への接触を検出するタッチセンサと、を有する電子機器であって、
前記第２表示部に表示された前記所定オブジェクトの表示位置への接触と、該接触の位置を前記第１表示部の画面上へ移動させることなく、前記第２表示部の画面上において前記第１表示部が存在する方向へ移動させる動作と、からなるドラッグ操作を検出すると、前記第１表示部における前記第２表示部と隣接している所定領域への所定の接触操作を検出したか否かを判定し、
前記所定領域への所定の接触操作とは異なる他の接触操作を検出したと判定した場合には、前記ドラッグ操作は入力されていないと判定し、
前記ドラッグ操作を検出してから前記所定領域への所定の接触操作を検出したと判定すると、前記第２表示部から消された前記所定オブジェクトに関する情報を前記第１表示部に表示することを特徴とする
電子機器。
【請求項５】
第１表示面を有する第１表示部と、前記第１表示面と同一平面上にない第２表示面を有し、所定オブジェクトを表示する第２表示部と、前記第１表示部および前記第２表示部の所定位置への接触を検出するタッチセンサと、を有する電子機器によって実行される画面制御方法であって、
前記第２表示部に表示された前記所定オブジェクトの表示位置への接触と、該接触の位置を前記第１表示部の画面上へ移動させることなく、前記第２表示部の画面上において前記第１表示部が存在する方向へ移動させる動作と、からなるドラッグ操作を検出すると、前記第１表示部における前記第２表示部と隣接している所定領域への所定の接触操作を検出したか否かを判定し、
前記所定領域への所定の接触操作とは異なる他の接触操作を検出したと判定した場合には、前記ドラッグ操作は入力されていないと判定し、
前記ドラッグ操作を検出してから前記所定領域への所定の接触操作を検出したと判定すると、前記第２表示部から消された前記所定オブジェクトに関する情報を前記第１表示部に表示することを特徴とする
画面制御方法。
【請求項６】
第１表示面を有する第１表示部と、前記第１表示面と同一平面上にない第２表示面を有し、所定オブジェクトを表示する第２表示部と、前記第１表示部および前記第２表示部の所定位置への接触を検出するタッチセンサと、を有する電子機器に、
前記第２表示部に表示された前記所定オブジェクトの表示位置への接触と、該接触の位置を前記第１表示部の画面上へ移動させることなく、前記第２表示部の画面上において前記第１表示部が存在する方向へ移動させる動作と、からなるドラッグ操作を検出すると、前記第１表示部における前記第２表示部と隣接している所定領域への所定の接触操作を検出したか否かを判定し、
前記所定領域への所定の接触操作とは異なる他の接触操作を検出したと判定した場合には、前記ドラッグ操作は入力されていないと判定し、
前記ドラッグ操作を検出してから前記所定領域への所定の接触操作を検出したと判定すると、前記第２表示部から消された前記所定オブジェクトに関する情報を前記第１表示部に表示することを実行させる
画面制御プログラム。
【発明の詳細な説明】
【技術分野】
【０００１】
本発明は、電子機器、画面制御方法および画面制御プログラムに関する。
【背景技術】
【０００２】
携帯電話機等の電子機器では、利用頻度の高い機能を簡単に起動させるためにショートカットを作成できるものがある。例えば、携帯電話機の待受画面に、特定のアプリケーションプログラムと関連づけられたショートカット項目（オブジェクト）を表示する技術が知られている（例えば、特許文献１参照）。
【０００３】
このような技術を用いれば、待受画面からメニュー階層を辿って所望のアプリケーションプログラムを起動させるといった煩雑な操作を行うことなく、所望のアプリケーションプログラムを迅速に起動させることができる。
【先行技術文献】
【特許文献】
【０００４】
【特許文献１】特開２００７−３１７２２３号公報
【発明の概要】
【発明が解決しようとする課題】
【０００５】
また、電子機器では、作成したショートカットのオブジェクトをアイコンで表示するものがある。アイコンで表示することで、オブジェクトを小さいスペースに効率よく表示させることができる。ここで、オブジェクトをアイコンで表示させる場合、オブジェクトの詳細な内容を表示させる操作には、オブジェクトの表示設定を変更する操作や、カーソルを一定時間オブジェクトに合わせる操作に対応付けていた。しかしながら、これらの操作はボタン操作等であるため、直感的な操作がしにくい。
【０００６】
本発明は、上記に鑑みてなされたものであって、表示部に効率よくオブジェクトを表示させることができ、さらに直感的な操作でオブジェクトの内容を確認することができる電子機器、画面制御方法および画面制御プログラムを提供することを目的とする。
【課題を解決するための手段】
【０００７】
上述した課題を解決し、目的を達成するために、本発明は、電子機器であって、実行可能な機能に対応するオブジェクトが表示される第１表示部と、実行可能な機能に対応するオブジェクトが表示される第２表示部と、前記オブジェクトに対する操作を検出する検出部と、前記第１表示部の画面において所定の機能に連携するオブジェクトを表示した状態で、所定操作が行われると、前記第２表示部の画面に前記オブジェクトに関する情報を表示しつつ前記第１表示部の画面上から前記オブジェクトを消す制御部と、を有することを特徴とする。
【０００８】
また、前記制御部は、前記第２表示部が隠れている状態から露出する状態へ移行する操作を前記所定操作として検出することが好ましい。
【０００９】
また、前記第１表示部が配置された第１筐体と、前記第２表示部が配置された第２筐体と、をさらに有し、前記第２筐体は、前記第１筐体によって前記第２表示部が隠される位置から、前記第２表示部が露出される位置まで移動可能であることが好ましい。
【００１０】
また、前記検出部は、前記第１表示部および前記第２表示部への接触を検出する接触検出部であり、前記制御部は、前記接触検出部で検出する前記オブジェクトを前記第１表示部から前記第２表示部に移動させる移動操作を前記所定操作として検出することが好ましい。
【００１１】
また、前記制御部は、ドラッグ操作、フリック操作、スイープ操作のいずれかを、前記移動操作として検出することが好ましい。
【００１２】
また、前記制御部は、前記接触検出部で前記第１表示部に対する接触および当該接触の移動を検出した後、前記第２表示部の前記第１表示部と隣接している所定領域への接触を検出しなかった場合、前記所定操作以外の操作が入力されたと判定し、前記第１表示部に対してのみ入力された操作として処理を実行することが好ましい。
【００１３】
また、前記制御部は、前記第１表示部に前記オブジェクトとしてアイコンを表示させ、前記第２表示部に前記オブジェクトに関連する情報としてテキスト情報を含む画像を表示させることが好ましい。
【００１４】
また、上述した課題を解決し、目的を達成するために、本発明は、実行可能な機能に対応するオブジェクトが表示される第１表示部と、実行可能な機能に対応するオブジェクトが表示される第２表示部と、前記オブジェクトに対する操作を検出する検出部と、を備える電子機器によって実行される画面制御方法であって、前記第１表示部の画面において所定の機能に連携するオブジェクトを表示させる状態で、入力される操作を検出するステップと、所定操作を検出すると、前記第２表示部の画面に前記オブジェクトに関する情報を表示しつつ前記第１表示部の画面上から前記オブジェクトを消すステップと、を含むことを特徴とする。
【００１５】
また、上述した課題を解決し、目的を達成するために、本発明は、画面制御プログラムであって、実行可能な機能に対応するオブジェクトが表示される第１表示部と、実行可能な機能に対応するオブジェクトが表示される第２表示部と、前記オブジェクトに対する操作を検出する検出部と、を備える電子機器に、前記第１表示部の画面において所定の機能に連携するオブジェクトを表示させる状態で、入力される操作を検出するステップと、所定操作を検出すると、前記第２表示部の画面に前記オブジェクトに関する情報を表示しつつ前記第１表示部の画面上から前記オブジェクトを消すステップと、を実行させることを特徴とする。
【発明の効果】
【００１６】
本発明に係る電子機器、画面制御方法および画面制御プログラムは、表示部に効率よくオブジェクトを表示させることができ、さらに直感的な操作でオブジェクトの内容を確認することができるという効果を奏する。
【図面の簡単な説明】
【００１７】
【図１】図１は、第１の形態にある携帯電話端末の斜視図である。
【図２】図２は、第２の形態にある携帯電話端末の斜視図である。
【図３】図３は、第１表示部に画面を表示する例を示す図である。
【図４】図４は、第１表示部および第２表示部に画面を表示する例を示す図である。
【図５】図５は、第１表示部および第２表示部に画面を表示する例を示す図である。
【図６】図６は、第１表示部および第２表示部に画面を表示する例を示す図である。
【図７】図７は、携帯電話端末の機能的な構成を示すブロック図である。
【図８】図８は、オブジェクトに対する操作が検出された場合の主制御部の動作を示すフロー図である。
【図９】図９は、オブジェクトに対する操作が検出された場合の主制御部の動作を示すフロー図である。
【発明を実施するための形態】
【００１８】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、電子機器として携帯電話端末を例として説明するが、本発明の適用対象は携帯電話端末に限定されるものではなく、タッチパネルを備える各種装置、例えば、ＰＨＳ（Personal  Handy-phone  System）、ＰＤＡ、ポータブルナビゲーション装置、パーソナルコンピュータ、ゲーム機等に対しても本発明は適用できる。また、本発明は携帯電子機器に用いることが好ましいが、複数の表示部を備える固定型の電子機器等を含む各種電子機器にも適用できる。
【００１９】
（実施形態）
まず、図１および図２を参照しながら、本発明に係る電子機器の一実施形態である携帯電話端末１の外観について説明する。図１は、第１の形態にある携帯電話端末１の斜視図であり、図２は、第２の形態にある携帯電話端末１の斜視図である。携帯電話端末１は、第１の筐体１Ａと、第２の筐体１Ｂとを有する。第１の筐体１Ａは、第２の筐体１Ｂに対して矢印Ａの方向に相対的にスライド可能に構成されている。
【００２０】
第１の筐体１Ａは、第２の筐体１Ｂと対向する面と反対側の面に第１タッチパネル２を有する。第２の筐体１Ｂは、第１の筐体１Ａと対向する面に第２タッチパネル３を有する。第１タッチパネル２および第２タッチパネル３は、文字、図形、画像等を表示するとともに、利用者が指やスタイラス等（以下、単に「指」という）を用いて当該タッチパネルに対して行う各種操作を検出する。第２タッチパネル３は、第１の筐体１Ａと第２の筐体１Ｂとが重なり合う第１の形態では第１の筐体１Ａによって覆い隠され、第１の筐体１Ａが矢印Ａの方向にスライドした第２の形態では外部に露出する。
【００２１】
第１の形態は、いわゆるクローズ状態である。第１の形態は、利用者が携帯電話端末１を持ち運ぶのに適した形態であり、この形態でも利用者は、第１タッチパネル２に表示される情報を参照したり、第１タッチパネル２を指で操作して情報を入力したりすることができる。第２の形態は、いわゆるオープン状態である。第２の形態は、利用者が携帯電話端末１を利用するのに適した形態であり、利用者は、第１タッチパネル２と第２タッチパネル３とを併用して、より多くの情報を参照することができる。
【００２２】
次に、図３から図６を参照しながら、携帯電話端末１における画面の表示について説明する。図３は、第１表示部に画面を表示する例を示す図である。図４は、第１表示部および第２表示部に画面を表示する例を示す図である。図５は、第１表示部および第２表示部に画面を表示する例を示す図である。図６は、第１表示部および第２表示部に画面を表示する例を示す図である。
【００２３】
図３に示す携帯電話端末１は、第１の形態であり、第１タッチパネル２のみが露出した状態である。図３に示す携帯電話端末１は、第１タッチパネル２に、４つのオブジェクト２２と２つのオブジェクト２４とが配置された待受画面２０を表示する。４つのオブジェクト２２と２つのオブジェクト２４は、それぞれアイコンのみが表示されている。また、４つのオブジェクト２２と２つのオブジェクト２４は、待受画面２０の画面左下に一列に配置されている。なお、オブジェクトは、各種機能へのショートカットの情報や、テキストデータ（文字列情報）が対応付けられた情報である。オブジェクトには、例えば、ＷＥＢブラウジング機能を起動させるために用いられるオブジェクト、電子メール機能を起動させるために用いられるオブジェクト、スケジュール機能を起動させるために用いられるオブジェクト、メモ機能を起動させるために用いられるオブジェクト、テキスト情報のみが対応付けられているオブジェクトがある。なお、図３に示すオブジェクト２２とオブジェクト２４とは、絵文字等からなる識別記号をオブジェクトとして示している。
【００２４】
なお、待受画面とは、電話の発着信を待ち受けている状態の画面、または、アプリケーションプログラムの起動を待ち受けている状態の画面である。換言すると、待受画面は、携帯電話端末１が提供する各種機能画面へ画面が変わる前の画面である。なお、待受画面は、例えば、初期画面、デスクトップ画面、ホーム画面、または、壁紙と呼ばれることもある。また、図３に示した例では、山の画像が待受画面として表示されているが、無地の画面や種々の画像データ、アニメーションデータを待受画面として表示してもよい。また、待受画面の一部として、カレンダや時計のように動的に変化する部分が含まれていてもよい。
【００２５】
ここで、利用者が図３に示す携帯電話端末１の第１の筐体１Ａと第２の筐体１Ｂとをスライドさせて第１の形態から第２の形態に移動させる操作を行ったものとする。つまり、スライドオープン操作を行ったものとする。
【００２６】
携帯電話端末１は、図３に示すように待受画面２０を表示させている状態で第１の形態から第２の形態に切り換えられると、図４に示すように、第１タッチパネル２と第２タッチパネル３の両方が露出した状態となる。このとき、携帯電話端末１は、第１タッチパネル２に、４つのオブジェクト２２が配置された待受画面２０、つまり２つのオブジェクト２４が配置されていない待受画面２０を表示し、新たに露出した第２タッチパネル３にオブジェクト３２とオブジェクト３４とが配置された待受画面３０を表示させる。オブジェクト３２とオブジェクト３４は、アイコンに加えオブジェクトに対応付けられた文字情報を表示している。具体的にはオブジェクト３２は、ＷＥＢブラウジング機能を起動させるために用いられるオブジェクトであり、文字列として「ブラウザ」が表示される。また、オブジェクト３４は、テキスト情報のみが対応つけられたオブジェクトであり、文字列として「１９時に待ち合わせ」が表示される。また、オブジェクト３２とオブジェクト３４は、図３の２つのオブジェクト２４と同一のオブジェクトを示すオブジェクトである。
【００２７】
このように、携帯電話端末１は、第１の形態から第２の形態に切り換えられると、第１タッチパネル２に表示させているオブジェクトのうち、設定されたオブジェクト（本実施形態ではオブジェクト２４）の表示位置を第１タッチパネル２から第２タッチパネル３に変更する。さらに、携帯電話端末１は、第２タッチパネル３に表示位置を変更したオブジェクトは、アイコンのみの表示からアイコンと文字情報の表示に切り換える。
【００２８】
また、携帯電話端末１は、図４に示す第２の形態から第１の形態の切り換える操作、つまりスライドクローズ操作が行われると、上述した図３に示す携帯電話端末１に示すように第１タッチパネル２に４つのオブジェクト２２と２つのオブジェクト２４とが配置された待受画面２０を表示する。このように携帯電話端末１は、第１の筐体１Ａと第２の筐体１Ｂとを相対的にスライド操作が行われる毎に、図３に示す画面から図４に示す画面、または図４に示す画面から図３に示す画面に画面の表示を切り換える。
【００２９】
本実施形態では、第１の形態から第２の形態に切り換える操作が行われた場合に、第１タッチパネルおよび第２タッチパネルに表示させているオブジェクトの表示を切り替えることとしたので、利用者は簡単な操作によって、オブジェクトの表示状態を切り換え、オブジェクトの内容を確認することができる。また、第２の形態から第１の形態に切り換える操作が行われた場合に、第１タッチパネルに表示させているオブジェクトの表示を切り替えることとしたので、利用者は、簡単な操作によって、オブジェクトの表示状態を切り換え、オブジェクトを小さく表示させることができる。また、第２の形態から第１の形態に切り換える操作が行われた場合に、隠れてしまう第２タッチパネル３に表示されているオブジェクトを自動的に第１タッチパネル２に移動させることで、第１の形態でも作成したオブジェクトを自動的に全て表示させることができる。
【００３０】
次に、図５に示すように、第２の形態の携帯電話端末１に対して、利用者がオブジェクト３２に対して第１タッチパネル２が存在する方向への移動を伴う操作（つまり矢印４２に示す方向の操作）を行い、オブジェクト３４に対して第１タッチパネル２が存在する方向への移動を伴う操作（つまり矢印４４に示す方向の操作）を行ったものとする。移動を伴う操作とは、例えば、フリック操作やドラッグ操作やスイープ操作である。フリック操作とは、指をタッチパネルに接触させた後に、何かをはじくように指を急速に移動させる操作をいう。また、ドラッグ操作とは、指をタッチパネルに接触させて、特定のオブジェクトを指定した後、当該オブジェクトの移動先の位置を指定する操作をいう。また、スイープ操作とは、指をタッチパネルに接触させた後に、タッチパネルとの接触を保ったままで指を移動させる操作をいう。移動を伴う操作は、第２タッチパネル３によって、第２タッチパネル３のある位置で接触が開始され、その後、第２タッチパネル３との接触を保ったままで接触位置が移動する動作として検出される。
【００３１】
このように、オブジェクトに対して移動を伴う操作が行われ、オブジェクトが表示されている表示部とは異なる他の表示部が移動方向に存在する場合、携帯電話端末１は、オブジェクトを表示させるタッチパネルを変更する処理を実行し、移動を伴う操作が入力されたオブジェクトを移動方向の先にあるタッチパネル（本実施形態では第１タッチパネル２）に表示する。具体的には、図６に示すように、第１タッチパネル２に、４つのオブジェクト２２と２つのオブジェクト２４が配置された待受画面２０を表示し、第２タッチパネル３にオブジェクト３２とオブジェクト３４が配置されていない待受画面３０を表示させる。このように、携帯電話端末１は、第１タッチパネル２に表示するオブジェクトは、アイコンのみのオブジェクトとして表示する。
【００３２】
また、携帯電話端末１は、利用者が図６に示すように第１タッチパネル２に表示されている２つのオブジェクト２４に対して第２タッチパネル３が存在する方向への移動を伴う操作を行うと、上述した図５に示す携帯電話端末１に示すように第１タッチパネル２に４つのオブジェクト２２が配置された待受画面２０を表示し、第２タッチパネル３にオブジェクト３２とオブジェクト３４が配置された待受画面３０を表示させる。このように携帯電話端末１は、第１タッチパネル２に配置されたオブジェクトに対して第２タッチパネル３が存在する方向への移動を伴う操作が検出された場合も同様にオブジェクトを表示させるタッチパネルを変更する。また、その場合、移動先のタッチパネルの表示設定に基づいてオブジェクトを表示させる。
【００３３】
以上、説明してきたように、携帯電話端末１は、オブジェクトに対して移動を伴う操作が行われた場合に、移動先のタッチパネル（の表示部）の表示設定に基づいてオブジェクトの表示を切り替える。このため、利用者は、簡単な操作によって、オブジェクトの表示状態を切り換え、オブジェクトの内容を確認することができる。また、利用者は、簡単な操作によって、オブジェクトの表示状態を切り換え、オブジェクトを小さく表示させることができる。
【００３４】
なお、携帯電話端末１は、オブジェクトの表示を切り換える操作として、予め設定した種々の所定の操作を用いることができる。なお、オブジェクトに対して移動を伴う操作としては、一方のタッチパネルから他方のタッチパネルまで実質的に連続して移動する操作を用いることが好ましい。つまり、一方のタッチパネルに対する接触および接触の移動を検出した後、他方のタッチパネルで一方のタッチパネルと隣接している所定領域で接触を検出した場合に、オブジェクトに対して移動を伴う操作を検出したとすることが好ましい。これにより、携帯電話端末１は、オブジェクトの表示形式の変更の処理を直感的に入
力することができる。
【００３５】
また、携帯電話端末１は、一方のタッチパネルに対する接触および接触の移動を検出した後、他方のタッチパネルで一方のタッチパネルと隣接している所定領域で接触を検出しなかった場合、所定操作以外の操作が入力されたと判定し、一方のタッチパネルのみに対して入力された操作として処理を実行することが好ましい。このように、２つのタッチパネルに跨る操作が入力されない場合は、他の操作と判定することで、好適に種々の操作を入力することができる。
【００３６】
次に、図７を参照しながら、携帯電話端末１の機能的な構成について説明する。図７は、携帯電話端末１の機能的な構成を示すブロック図である。図７に示すように携帯電話端末１は、第１タッチパネル２と、第２タッチパネル３と、姿勢検出部４と、電源部５と、通信部６と、スピーカ７と、マイク８と、記憶部９と、主制御部１０と、ＲＡＭ（Random  Access  Memory）１１とを有する。なお、第１タッチパネル２が第１の筐体１Ａに設けられ、第２タッチパネル３が第２の筐体１Ｂに設けられることを除いて、各部位は、第１の筐体１Ａと第２の筐体１Ｂのいずれに設けられてもよい。
【００３７】
第１タッチパネル２は、第１表示部２Ｂと、第１表示部２Ｂに重畳された第１タッチセンサ２Ａとを有する。第２タッチパネル３は、第２表示部３Ｂと、第２表示部３Ｂに重畳された第２タッチセンサ３Ａとを有する。第１タッチセンサ２Ａおよび第２タッチセンサ３Ａは、指を用いて表面に対して行われた各種操作を、操作が行われた位置とともに検出する。第１タッチセンサ２Ａおよび第２タッチセンサ３Ａによって検出される操作には、タップ操作、フリック操作、ドラッグ操作等が含まれる。第１表示部２Ｂおよび第２表示部３Ｂは、例えば、液晶ディスプレイ（ＬＣＤ、Liquid  Crystal  Display）や、有機ＥＬ（Organic  Electro−Luminescence）パネルなどで構成され、文字、図形、画像等を表示する。
【００３８】
姿勢検出部４は、携帯電話端末１が第１の形態にあるのか、第２の形態にあるのかを検出する。姿勢検出部４は、例えば、第１の筐体１Ａと第２の筐体１Ｂとが対向する面に設けられた機械的なスイッチによって携帯電話端末１の姿勢を検出する。
【００３９】
電源部５は、蓄電池または外部電源から得られる電力を、主制御部１０を含む携帯電話端末１の各機能部へ供給する。通信部６は、基地局によって割り当てられるチャネルを介し、基地局との間でＣＤＭＡ方式などによる無線信号回線を確立し、基地局との間で電話通信及び情報通信を行う。スピーカ７は、電話通信における相手側の音声や着信音等を出力する。マイク８は、利用者等の音声を電気的な信号へ変換する。
【００４０】
記憶部９は、例えば、不揮発性メモリや磁気記憶装置であり、主制御部１０での処理に利用されるプログラムやデータを保存する。具体的には、記憶部９は、電子メール機能を実現するためのメールプログラム９Ａや、ＷＥＢブラウジング機能を実現するためのブラウザプログラム９Ｂや、上述したような画面制御を実現するための画面制御プログラム９Ｃや、第１表示部２Ｂおよび第２表示部３Ｂの寸法および位置関係に関する情報や、オブジェクトの表示設定の情報が格納された表示部データ９Ｄや、オブジェクトを表示する表示領域に関する情報が格納された表示領域データ９Ｅを記憶する。記憶部９には、その他に、携帯電話端末１の基本的な機能を実現するオペレーティングシステムプログラムや、氏名、電話番号、メールアドレス等が登録されたアドレス帳データ等の他のプログラムやデータも記憶される。
【００４１】
主制御部１０は、例えば、ＣＰＵ（Central  Processing  Unit）であり、携帯電話端末１の動作を統括的に制御する。具体的には、主制御部１０は、記憶部９に記憶されているデータを必要に応じて参照しつつ、記憶部９に記憶されているプログラムを実行して、第１タッチパネル２、通信部６等を制御することによって各種処理を実行する。主制御部１０は、記憶部９に記憶されているプログラムや、処理を実行することによって取得／生成／加工されたデータを、一時的な記憶領域を提供するＲＡＭ１１に必要に応じて展開する。なお、主制御部１０が実行するプログラムや参照するデータは、通信部６による無線通信でサーバ装置からダウンロードすることとしてもよい。
【００４２】
例えば、主制御部１０は、メールプログラム９Ａを実行することによって、電子メール機能を実現する。また、主制御部１０は、画面制御プログラム９Ｃを実行することによって、上述したように利用者に指定された表示部に画面を表示する機能を実現する。
【００４３】
次に、図８を参照しながら、画面制御プログラム９Ｃに基づいて主制御部１０が実行する処理手順について説明する。なお、図８に示す処理手順は、携帯電話端末１が第２の形態にあり、かつ待受画面を表示しているときに実行される。図８は、オブジェクトに対する操作が検出された場合の主制御部の動作を示すフロー図である。また、図８に示す処理手順は、第２タッチパネル３に表示させるオブジェクトに対して接触動作が入力された場合の処理手順である。
【００４４】
図８に示すように、主制御部１０は、ステップＳ１２として、第１タッチパネル２の第１表示部２Ｂおよび第２タッチパネル３の第２表示部３Ｂにオブジェクトを表示させる。主制御部１０は、ステップＳ１２でオブジェクトを表示させたら、ステップＳ１４として第２タッチセンサ３Ａで画面上方向へのドラッグ操作を検出したか、より具体的には第２タッチパネル３に表示させたオブジェクトの少なくとも１つを画面上方向へドラッグする操作を第２タッチセンサ３Ａで検出したかを判定する。なお、図８では、ドラッグ操作を検出対象としたが、スイープ操作の場合も同様である。
【００４５】
主制御部１０は、ステップＳ１４でドラッグ操作を検出していない（Ｎｏ）と判定した場合、ステップＳ１２に進む。主制御部１０は、ステップＳ１４でドラッグ操作を検出した（Ｙｅｓ）と判定した場合、ステップＳ１６として、下画面から上画面へのドラッグ中のフラグを立て、ステップＳ１８としてタップ（接触操作）を検出したか、つまりステップＳ１４で検出した操作とは異なる操作を検出したかを判定する。
【００４６】
主制御部１０は、ステップＳ１８でタップを検出していない（Ｎｏ）と判定した場合、ステップＳ２０としてドラッグ操作から一定秒間経過したかを判定する。なお、主制御部１０は、タイマー機能によりドラッグ操作が入力されてからの時間を計測し、計測した時間と、予め設定した閾値時間（一定秒数）とを比較することで、一定秒間経過したかを判定することができる。主制御部１０は、ステップＳ２０で一定秒間経過していない（Ｎｏ）と判定した場合、ステップＳ１８に進む。
【００４７】
主制御部１０は、ステップＳ２０で一定秒間経過した（Ｙｅｓ）と判定した場合、ステップＳ２２として、下画面から上画面へのドラッグ中のフラグを削除し、本処理を終了する。つまり、主制御部１０は、オブジェクトの移動操作は入力されていないと判定して、本処理を終了する。
【００４８】
主制御部１０は、ステップＳ１８でタップを検出した（Ｙｅｓ）と判定した場合、ステップＳ２４として、検出したタップが、第１タッチセンサ２Ａの画面下からのドラッグ操作であるかを判定する。つまり、主制御部１０は、検出したタップがステップＳ１４で検出したドラッグ操作と実質的に連続した操作であるかを判定する。主制御部１０は、ステップＳ２４で当該ドラッグ操作ではない（Ｎｏ）と判定した場合、ステップＳ２６として、下画面から上画面へのドラッグ中のフラグを削除し、ステップＳ２８として、タップの処理を行う。つまり、主制御部１０は、検出したタップがステップＳ１４で検出したドラッグ操作と実質的に連続した操作ではないと判定し、検出したタップに対応する処理を実行する。主制御部１０は、タップの処理を行ったら、本処理を終了する。
【００４９】
また、主制御部１０は、ステップＳ２４で当該ドラッグ操作である（Ｙｅｓ）と判定した場合、ステップＳ３０として、下画面から上画面へのドラッグ中のフラグを削除し、ステップＳ３２としてドラッグされたオブジェクトのショートカットのアイコンを作成する。つまり、主制御部１０は、ステップＳ１４でドラッグしたオブジェクトに対応するアイコンを作成する。主制御部１０は、アイコンを作成したら、ステップＳ３４として第１タッチパネル２の第１表示部２Ｂにアイコンを表示させる。つまり、主制御部１０は、ステップＳ３２で作成したオブジェクトに対応するアイコンを移動先のタッチパネルである第１タッチパネル２の第１表示部２Ｂに表示する。これにより、操作対象のオブジェクトの表示位置および表示状態を切り換えることができる。主制御部１０は、第１表示部２Ｂにアイコンを表示させた後、本処理を終了する。
【００５０】
上述してきたように、本実施形態では、オブジェクトに対して移動を伴う操作が行われた場合に、移動方向に応じて画面を表示する表示部を切り替えることとしたので、簡単な操作によって、オブジェクトの表示状態を切り換え、オブジェクトの内容を確認することができる。また、利用者は、簡単な操作によって、オブジェクトの表示状態を切り換え、オブジェクトを小さく表示させることができる。
【００５１】
次に、図９を参照しながら、画面制御プログラム９Ｃに基づいて主制御部１０が実行する処理手順の他の手順について説明する。なお、図９に示す処理手順は、携帯電話端末１が第２の形態にあるときに実行される。図９は、オブジェクトに対する操作が検出された場合の主制御部の動作を示すフロー図である。また、図９に示す処理手順は、第２の形態から第１の形態に切り換える操作が入力された場合の処理手順である。
【００５２】
図９に示すように、主制御部１０は、ステップＳ４２として、第１タッチパネル２の第１表示部２Ｂおよび第２タッチパネル３の第２表示部３Ｂにオブジェクトを表示させる。主制御部１０は、ステップＳ４２でオブジェクトを表示させたら、ステップＳ４４として第２タッチセンサ３Ａで操作を検出したかを判定する。
【００５３】
主制御部１０は、ステップＳ４４でタッチ操作を検出していない（Ｎｏ）と判定した場合、ステップＳ４８に進む。主制御部１０は、ステップＳ４４でタッチ操作を検出した（Ｙｅｓ）と判定した場合、ステップＳ４６として、検出した操作をバッファに保存する。なお、主制御部１０は、検出した各種操作をバッファに保存するとともに、検出した操作に対応する処理を実行する。
【００５４】
主制御部１０は、ステップＳ４６の処理を行った場合、またステップＳ４４でＮｏと判定した場合、ステップＳ４８として、スライドクローズ、つまり第１の筐体１Ａと第２の筐体１Ｂとを相対的に移動させ、第２の形態から第１の形態に切り換える操作が入力されたかを判定する。主制御部１０は、ステップＳ４８でスライドクローズを検出していない（Ｎｏ）、つまり第２の形態のままであると判定した場合、ステップＳ４２に進む。
【００５５】
主制御部１０は、ステップＳ４８でスライドクローズを検出した（Ｙｅｓ）、つまり第１の形態に切り換えられたと判定した場合、ステップＳ５０としてバッファに情報があるかを判定する。主制御部１０は、ステップＳ５０でバッファに情報がない（Ｎｏ）と判定した場合、ステップＳ５４に進む。また、主制御部１０は、ステップＳ５０でバッファに情報がある（Ｙｅｓ）と判定した場合、ステップＳ５２として、新規作成オブジェクトの情報があるかを判定する。つまり、主制御部１０は、ステップＳ４４で検出した操作の中に、前回まで表示していなかったオブジェクトを新たに作成した操作が含まれているかを判定する。主制御部１０は、ステップＳ５２で新規作成オブジェクトの情報がない（Ｎｏ）と判定した場合、ステップＳ５４に進み、ステップＳ５２で新規作成オブジェクトの情報がある（Ｙｅｓ）と判定した場合、ステップＳ６０に進む。
【００５６】
主制御部１０は、ステップＳ５０またはステップＳ５２でＮｏと判定した場合、ステップＳ５４として、第１表示部２Ｂの画像に変更なしと判定し、ステップＳ５６として前回と同一のオブジェクトを表示させる。つまり、前回の第１の形態の際に待受画面に配置したオブジェクトと同一のオブジェクトを第１タッチパネル２の第１表示部２Ｂに表示させる。なお、主制御部１０は、第２タッチパネル３にオブジェクトを表示させている場合、上述の図３および図４での処理と同様に、第２タッチパネル３に表示させているオブジェクトを第１タッチパネル２の第１表示部２Ｂに表示形式を変更して表示させる。主制御部１０は、ステップＳ５６でオブジェクトを表示させた後、本処理を終了する。
【００５７】
また、主制御部１０は、ステップＳ５２で規作成オブジェクトの情報がある（Ｙｅｓ）と判定した場合、ステップＳ６０として新規作成オブジェクトの情報を抽出し、ステップＳ６２として、新規作成オブジェクトの画像（具体的にはアイコンの画像）を作成する。なお、ステップＳ６０とステップＳ６２の処理は、ステップＳ４４で操作を検出した際に予め実行しておいてもよい。主制御部１０は、ステップＳ６２の処理を行った場合、ステップＳ６４として、第１タッチパネル２の第１表示部２Ｂに更新したオブジェクトを表示させる。つまり、ステップＳ６２で新たに作成したオブジェクトを加えたオブジェクトを第１表示部２Ｂに表示させる。なお、主制御部１０は、オブジェクトを削除する処理が入力されている場合は、前回表示させたオブジェクトから削除されたオブジェクトを除いたオブジェクトを第１表示部２Ｂに表示させる。なお、主制御部１０は、第２タッチパネル３にオブジェクトを表示させている場合、上述の図３および図４での処理と同様に、第２タッチパネル３に表示させているオブジェクトを第１タッチパネル２の第１表示部２Ｂに表示形式を変更して表示させる。主制御部１０は、ステップＳ６４でオブジェクトを表示させた後、本処理を終了する。
【００５８】
上述してきたように、本実施形態では、第２の形態から第１の形態に切り換える操作が行われた場合に、第２タッチパネル３に表示させているオブジェクトの表示を切り替えることとしたので、利用者は、簡単な操作によって、オブジェクトの表示状態を切り換え、オブジェクトを小さく表示させることができる。
【００５９】
なお、上記の実施形態で示した本発明の態様は、本発明の要旨を逸脱しない範囲で任意に変更することができる。例えば、画面制御プログラム９Ｃは、複数のモジュールに分割されていてもよいし、他のプログラムと統合されていてもよい。
【００６０】
また、上記の実施形態では、第１の筐体１Ａが第２の筐体１Ｂに対して相対的にスライドすることによって携帯電話端末１が第１の形態から第２の形態へ変化することとしたが、第１の形態から第２の形態への変化はこのようなスライド動作以外によって実現されてもよい。例えば、携帯電話端末１は、第１の筐体１Ａと第２の筐体１Ｂとを２軸回転式ヒンジで結合した折り畳み式の端末であってもよく、この場合、ヒンジの２つの軸を回転軸として第１の筐体１Ａと第２の筐体１Ｂを相対的に回転させることによって形態の変化が実現される。また、携帯電話端末１は、第１の筐体１Ａと第２の筐体１Ｂとを１軸回転式のヒンジで結合した通常の折り畳み式の端末であってもよい。
【００６１】
また、上記の実施形態では、２つの表示部を備える電子機器の例を示したが、本発明は、３つ以上の表示部を備える電子機器にも適用することができる。なお、表示部が３つ以上ある電子機器において画面を複数の表示部にまたがって表示する場合、すべての表示部にまたがって画面を表示することとしてもよいし、予め選択された表示部にまたがって画面を表示することとしてもよい。
【００６２】
なお、携帯電話端末１は、図８に示す処理と図９に示す処理の両方を実行することが好ましいが、いずれか一方の処理のみを実行してもよい。
【符号の説明】
【００６３】
１  携帯電話端末
１Ａ  第１の筐体
１Ｂ  第２の筐体
２  第１タッチパネル
２Ａ  第１タッチセンサ
２Ｂ  第１表示部
３  第２タッチパネル
３Ａ  第２タッチセンサ
３Ｂ  第２表示部
４  姿勢検出部
５  電源部
６  通信部
７  スピーカ
８  マイク
９  記憶部
９Ａ  メールプログラム
９Ｂ  ブラウザプログラム
９Ｃ  画面制御プログラム
９Ｄ  表示部データ
９Ｅ  表示領域データ
１０  主制御部
１１  ＲＡＭ
【図１】
0005984339.tif 000002
【図２】
0005984339.tif 000003
【図３】
0005984339.tif 000004
【図４】
0005984339.tif 000005
【図５】
0005984339.tif 000006
【図６】
0005984339.tif 000007
【図７】
0005984339.tif 000008
【図８】
0005984339.tif 000009
【図９】
0005984339.tif 000010